(57)【特許請求の範囲】
【請求項１】
フランジ部を有するシリンジと、当該シリンジ内に押し込み可能なプランジャとを備える定量シリンジ型噴出器であって、
プランジャは、先端にピストンを有する第１シャフト部材と、当該第１シャフト部材の後端に配置される第２シャフト部材とを有し、
第１シャフト部材は、後方に向かって伸びる少なくとも１つの弾性片が一体に設けられているとともに、当該弾性片に、シリンジの後端開口部から進入して当該シリンジの内周面を摺動可能な摺動突起と、シリンジの後端に係止される係止突起とが設けられており、
第２シャフト部材は、弾性片の自由端を押圧する端面を有し、当該端面からの押圧によって弾性片の自由端をシリンジとの間で拘束することで当該弾性片に摺動突起を起点にした撓み変形を生じさせて前記係止突起を前記シリンジの後端に係止させ、前記押圧の緩和によって、当該撓み変形の摺動突起を起点にした復元力によって係止突起の係止を解除するものであり、
係止突起の係止の解除によって、プランジャをシリンジ内に更に押し込み可能であることを特徴とする定量シリンジ型噴出器。
【請求項２】
請求項１において、前記第１シャフト部材には、前記第２シャフト部材を受け入れる空間と、該第２シャフト部材を抜け止め保持する係止部とが設けられ、前記空間は、前記押圧及び前記押圧の緩和の際に、前記第２シャフト部材が前記第１シャフト部材内で移動可能となるように形成されていることを特徴とする定量シリンジ型噴出器。
【請求項３】
請求項１又は２において、弾性片の自由端に段差を設け、当該段差の底面を、第２シャフト部材からの受圧面に形成するとともに、当該段差の側面を弾性片の自由端側を逃がすテーパ面に形成したことを特徴とする定量シリンジ型噴出器。
【請求項４】
請求項１乃至３のいずれか１項において、弾性片の自由端にテーパをつけたことを特徴とする定量シリンジ型噴出器。
【請求項５】
請求項４において、第２シャフト部材に、第１シャフト部材に対応するテーパ面が形成されていることを特徴とする定量シリンジ型噴出器。
【請求項６】
請求項１乃至５のいずれか１項において、シリンジの先端部に噴霧ノズルを設けたことを特徴とする定量シリンジ型噴出器。
【発明の詳細な説明】
【技術分野】
【０００１】
本発明は、フランジ部を有するシリンジと、当該シリンジ内に押し込み可能なプランジャとを備える定量シリンジ型噴出器であって、プランジャの押し込みを段階的に行うための技術に関するものである。
【背景技術】
【０００２】
シリンジ型噴出器には、例えば、シリンジ内にプランジャを押し込んで薬液などの内容物を取り出すものがある（例えば、特許文献１参照）。
【先行技術文献】
【特許文献】
【０００３】
【特許文献１】特開平７−２１３６１２号公報
【発明の概要】
【発明が解決しようとする課題】
【０００４】
しかしながら、従来のシリンジ型噴出器は、シリンジ内にプランジャを押し込むにすぎないため、内容物を小分けして噴出することが困難であった。
【０００５】
本発明の目的とするところは、内容物を小分けして噴出することができる、新規な定量シリンジ型噴出器を提供することにある。
【課題を解決するための手段】
【０００６】
本発明は、フランジ部を有するシリンジと、当該シリンジ内に押し込み可能なプランジャとを備える定量シリンジ型噴出器であって、
プランジャは、先端にピストンを有する第１シャフト部材と、当該第１シャフト部材の後端に配置される第２シャフト部材とを有し、
第１シャフト部材は、後方に向かって伸びる少なくとも１つの弾性片が一体に設けられているとともに、当該弾性片に、シリンジの後端開口部から進入して当該シリンジの内周面を摺動可能な摺動突起と、シリンジの後端に係止される係止突起とが設けられており、第２シャフト部材は、弾性片の自由端を押圧する端面を有し、当該端面からの押圧によって弾性片の自由端をシリンジとの間で拘束することで当該弾性片に摺動突起を起点にした撓み変形を生じさせて前記係止突起を前記シリンジの後端に係止させ、前記押圧の緩和によって、当該撓み変形の摺動突起を起点にした復元力によって係止突起の係止を解除するものであり、係止突起の係止の解除によって、プランジャをシリンジ内に更に押し込み可能であることを特徴とするものである。
【０００７】
前記第１シャフト部材には、前記第２シャフト部材を受け入れる空間と、該第２シャフト部材を抜け止め保持する係止部とが設けられ、前記空間は、前記押圧及び前記押圧の緩和の際に、前記第２シャフト部材が前記第１シャフト部材内で移動可能となるように形成することができる。
【０００８】
加えて、弾性片の自由端に段差を設け、当該段差の底面を、第２シャフト部材からの受圧面に形成するとともに、当該段差の側面を弾性片の自由端側を逃がすテーパ面に形成することができる。また、弾性片の自由端にテーパをつけることもできる。さらに、第２シャフト部材には、第１シャフト部材に対応するテーパ面を形成することができる。本発明によれば、シリンジの先端部には、噴霧ノズルを設けることができる。
【発明の効果】
【０００９】
本発明では、第２シャフト部材を押し込むと、弾性片に設けた摺動突起がシリンジの後端開口部から進入して当該シリンジの内周面を摺動するとともに、第１シャフト部材に設けた弾性片の自由端の動きがシリンジとの間で拘束されることで、当該弾性片に摺動突起を起点にした撓み変形が生じる。このため、弾性片に設けた係止突起がシリンジの後端に係止されるまで、１回目の噴出が可能になる。
【００１０】
次いで、第２シャフト部材の押し込みを緩めると、上記撓み変形の摺動突起を起点にした復元力によって弾性片の自由端側が摺動突起を起点に復元する。このとき、弾性片の固定端側は摺動突起を起点に内側に変形したままであるから、当該弾性片の自由端側は、摺動突起を起点に内側に変形した固定端側と整列するように斜め内向きに復元する。このため、係止突起も弾性片の自由端側に追従するように斜め内向きに変位することで、当該係止突起の係止が解除される。これにより、再びプランジャを押し込めば、２回目の噴出が可能になる。
【００１１】
従って、本発明によれば、内容物を小分けして取り出すことができる。加えて、本発明では、第２シャフト部材の押し込みを緩めるだけで、２回目の噴出が可能になるため、２回目の噴出を行うときに持ち替える必要がない。このため、使用者は、内容物の小分けを片手操作で行うことができる。
【図面の簡単な説明】
【００１２】
【図１】本発明の第一の実施形態である点鼻薬噴霧器であって、その操作前の初期状態を一部断面で示す側面図およびその一部拡大図である。
【図２】同実施形態にあって、第１シャフト部材と第２シャフト部材との連結部分を模式的に示した斜視図である。
【図３】同実施形態にあって、１回目の噴出が完了した状態を一部断面で示す側面図である。
【図４】同実施形態にあって、２回目の噴出を開始するためにプランジャの押し込みを緩めた状態を一部断面で示す側面図である。
【図５】同実施形態にあって、２回目の噴出が開始した直後の状態を一部断面で示す側面図である。
【図６】同実施形態にあって、２回目の噴出が完了した状態を一部断面で示す側面図である。
【発明を実施するための形態】
【００１３】
以下、図面を参照して、本発明の一実施形態である点鼻薬噴霧器１を詳細に説明する。
【００１４】
図１中、符号２は、内容物としての点鼻薬Ｃを充填可能な定量シリンジである。シリンジ２は、中空の胴部２ａを有し、この胴部２ａには、肩部２ｂを介して先端部２ｃが一体に繋がる。先端部２ｃは、胴部２ａよりも小径としてなる。また、胴部２ａには、先端部２ｃと対向する後端部に、フランジ部２ｄが、その後端をシリンジ２の後端２ｅを一致するように、一体に設けられている。
【００１５】
符号３は、シリンジ２内に収納されるプランジャである。プランジャ３は、第１シャフト部材３ａと、この第１シャフト部材３ａの後方に配置される第２シャフト部材３ｂとを有する。
【００１６】
第１シャフト部材３ａは、シリンジ２に収納される先端部にピストン４が設けられている。ピストン４は、例えば、ゴムなどの弾性材料からなり、シリンジ胴部２ａの内周面２ｆに摺動可能に保持されている。
【００１７】
シリンジ２とピストン４との間には空間Ｒ1が形成されている。空間Ｒ1には、点鼻薬Ｃが充填される。空間Ｒ1に充填された点鼻薬Ｃは、プランジャ３の押し込みによって、先端部２ｃに形成した貫通孔Ａ１に圧送される。
【００１８】
また、第１シャフト部材３ａは、後方に向かって伸びる４つの弾性片３ａ1が一体に設けられている（図中、符号は１つのみに例示）。弾性片３ａ1には、摺動突起３ａ2と係止突起３ａ3とが設けられている。摺動突起３ａ2と係止突起３ａ3は、摺動突起３ａ2、係止突起３ａ3の順で、軸線Ｏに沿って後方に向かって間隔を置いて設けられている。摺動突起３ａ2は、先端に向かって先細りに傾斜する傾斜面３ｆ0を有する。これにより、摺動突起３ａ2は、シリンジ２の後端開口部Ａ２から進入して、シリンジ２の内周面２ｆを摺動するため、プランジャ３の押し込みを許容する。また、係止突起３ａ3は、後述のように、シリンジの後端２ｅに引っ掛かってプランジャ３の押し込みを阻止する。
【００１９】
本形態では、第１シャフト部材３ａは、図２に示すように、ピストン４を固定する基部３ａ4を有し、弾性片３ａ1はそれぞれ、リング部３ａ5を介して基部３ａ4に連結されている。基部３ａ4は、例えば、本形態のように、２つの対向する側壁に横壁を掛け渡したＨ字形断面形状のものを採用することができる。これにより、弾性片３ａ1は、リング部３ａ5との連結端を固定端３ｅ0として、その自由端側を変形および復元可能に撓み変形させることができる。
【００２０】
また、本形態では、係止突起３ａ3は、弾性片３ａ1の自由端側の部分に一体に形成されている。これにより、本形態では、係止突起３ａ3の後端面３ｅ1は、弾性片３ａ1の自由端として構成される。また本形態では、係止突起３ａ3に形成された後端面（以下、「係止突起側自由端」）３ｅ1は、図１の拡大図に示すように、外向きに角度θで減少するテーパがつけられている。なお、θの値は、点鼻薬噴出器の大きさ等に応じて、適宜変更することができる。
【００２１】
加えて、本形態では、図２に示すように、弾性片３ａ1の自由端に段差Ｄが設けられている。段差Ｄも、弾性片３ａ1の自由端として構成されるとともに、弾性片３ａ1の内周面側に形成されている。また本形態では、図１の拡大図に示すように、段差Ｄの底面（以下、「段差底面側自由端」）３ｅ2は、第２シャフト部材３ｂと接触するとともに当該第２シャフト部材３ｂに押圧される受圧面として形成されている。また、この段差底面側自由端３ｅ2に繋がる段差Ｄの側面（以下、「段差側面側自由端」）３ｅ3は、外向きに拡大するテーパ面として形成されている。
【００２２】
一方、第２シャフト部材３ｂは、図１に示すように、使用者がプランジャ３を押し込むための押圧部３ｂ1を有する本体部３ｂ2を有する。同図の拡大図で示すように、本体部３ｂ2の先端側の端面３ｆ1は、第１シャフト部材の段差底面側自由端３ｅ2を押圧する押圧面（以下、「押圧端面３ｆ1」）として形成されている。押圧端面３ｆ1は、第２シャフト部材３ｂを押し込むことで、第１シャフト部材の段差底面側自由端３ｅ2を押圧し、プランジャ３全体としての押し込みを生じさせる。また、本体部３ｂ2には、弾性片３ａ1の段差側面側自由端３ｅ3に対応するテーパ面３ｆ2が形成されている。本形態では、テーパ面３ｆ2は、段差側面側自由端３ｅ3とほぼ等しい角度のテーパ面であって、互いの間には隙間Ｇが形成されている。
【００２３】
加えて、本体部３ｂ2にはピン部３ｂ3が一体に繋がる。ピン部３ｂ3は、本体部３ｂ2よりも小径である。ピン部３ｂ3の先端には、ピン部３ｂ3よりも大径のヘッド３ｂ4が一体に形成されている。一方、基部３ａ4とリング部ａ5との間には空間Ｓが形成されている。空間Ｓは、例えば、図２に示すように、基部３ａ4の横壁の一部を開口して形成する。空間Ｓには、リング部ａ5に形成した貫通孔Ａ３を通して、ヘッド３ｂ4を収納することができる。また貫通孔Ａ３は、同図に示すように、リング部ａ5に形成した環状のテーパ面３ｆ5で構成されている。環状テーパ面３ｆ5は、先端に向かって縮径する。これにより、貫通孔Ａ３の最小径よりも大径のヘッド３ｂ4を空間Ｓに挿入できるとともに、環状テーパ面３ｆ5を形成した貫通孔Ａ３周りの縁部を、ヘッド３ｂ4を抜け止め保持する係止部として機能させることができる。
【００２４】
空間Ｓは、ヘッド３ｂ4を軸線Ｏに沿って前後に移動させることができる遊びを有する。これにより、第１シャフト部材３ａと第２シャフト部材３ｂを、互いに軸線Ｏに沿って移動可能に連結することができる。
【００２５】
図１中、符号５は、シリンジ先端部２ｃに装着されるノズルである。ノズル５は、噴霧チップ６を内蔵し、貫通孔Ａ１を通って圧送された点鼻薬Ｃを噴出孔Ａ４より噴霧させることができる。
【００２６】
ここで、本実施形態の使用方法を説明する。
使用者は先ず、図１に示す状態でノズル５を一方の鼻の穴に挿入した後、第２シャフト部材３ｂを押し込む。すると、同拡大図に示すように、本体部３ｂ2の押圧端面３ｆ1が第１シャフト部材３ａの段差底面側自由端３ｅ2を押圧するため、第１シャフト部材３ａも第２シャフト部材３ｂとともに押し込まれる。このとき、第２シャフト部材３ｂの摺動突起３ａ2は、先端に向かって先細りする傾斜面３ｆoを有しているため、シリンジ後端開口部Ａ２からシリンジ２内に進入することができる。
【００２７】
また、第２シャフト部材３ｂの押圧端面３ｆ1は、弾性片３ａ1の段差底面側自由端３ｅ2に接触して押圧する。このため、弾性片３ａ1の自由端の動きは、シリンジ２との間で拘束される。その結果、弾性片３ａ1には、図３に示すように、摺動突起３ａ2を起点にした撓み変形が生じ、当該摺動突起３ａ2は、シリンジの内周面２ｆを摺動することで、プランジャ３の押し込みを許容することができる。これにより、同図に示すように、弾性片３ａ1に設けた係止突起３ａ3がシリンジの後端２ｅに接触するまで、噴出孔Ａ４から点鼻薬Ｃを鼻の穴に一定量噴出することができる。
【００２８】
弾性片３ａ1に設けた係止突起３ａ3がシリンジ２の後端２ｅに接触すると、プランジャ３を押し込むことができなくなるので、空間Ｒ2に点鼻薬Ｃを残した状態で１回目の噴霧は終了する。なお、空間Ｒ2の容量は、使用目的に応じて適宜選択できるが、例えば、空間Ｒ1の容量の半分とする。
【００２９】
次いで、第２シャフト部材３ｂの押し込みを緩めると、図４に示すように、上記撓み変形の復元力によって、弾性片３ａ1の自由端側が摺動突起３ａ2を起点に復元する。このとき、弾性片３ａ1の固定端３ｅ0側は摺動突起３ａ2を起点に内側に変形したままであるから、弾性片３ａ1の自由端側は、同図に示すように、摺動突起３ａ2を起点に内側に変形した固定端３ｅ0側と整列するように斜め内向きに復元する。このため、係止突起３ａ3も弾性片３ａ1の自由端側に追従するように斜め内向きに変位することで、当該係止突起３ａ3の係止状態が同図に示すように解除される。
【００３０】
特に、本実施形態では、図３の拡大図に示すように、弾性片３ａ1の自由端に段差Ｄを設け、この段差底面側自由端３ｅ2を、第２シャフト部材３ｂからの受圧面に形成するとともに、段差側面側自由端３ｅ3を弾性片３ａ１の自由端側を逃がすテーパ面に形成したことで、第２シャフト部材３ｂの押し戻しを円滑に行うことができる。加えて、本形態では、第２シャフト部材３ｂに、第１シャフト部材３ａに対応するテーパ面３ｆ２が形成されているため、第２シャフト部材３ａの押し戻しをより円滑に行うことができる。
【００３１】
これにより、第２シャフト部材３ｂの押し込みを緩めた後、再び第２シャフト部材３ｂを押し込めば、２回目の噴出が可能になる。本形態では、第２シャフト部材３ｂが押し戻された後、第２シャフト部材３ｂを押し込めば、図５に示すように、第２シャフト部材３ｂの押圧端面３ｆ1は、係止突起３ａ3に接触させることができる。このため、弾性片３ａ1が摺動突起３ａ2を起点に復元することで、第１シャフト部材３ａを押し込むことができる。
【００３２】
特に、本実施形態では、係止突起側自由端３ｅ1にテーパをつけたため、弾性片３ａ1の自由端側が摺動突起３ａ2を起点に復元しても、第２シャフト部材３ｂの押圧端面３ｆ1と平行に近い状態で接触できるので、第１シャフト部材３ａの押し込みを円滑に行うことができる。
【００３３】
従って、図４に示すように、第２シャフト部材３ｂの押し込みを緩めて第２シャフト部材３ｂが押し戻された後、他方の鼻の穴にノズル６を挿入して、図５に示すように、第２シャフト部材３ｂを押し込めば、図６に示すように、噴出孔Ａ４から空間Ｒ2内に残った点鼻薬Ｃを鼻の穴に噴出することができる。
【００３４】
上述のように、本実施形態によれば、点鼻薬Ｃを小分けして噴霧することができる。加えて、本実施形態では、第２シャフト部材３ｂの押し込みを緩めると、２回目の噴出が可能になるため、２回目の噴出を行うときに持ち替える必要がない。このため、使用者は、内容物の小分けを片手操作で行うことができる。
【００３５】
上述したところは、本発明の様々な実施形態であるが、本発明に従えば、様々な変更が可能となる。例えば、弾性片３ａ1は、少なくとも１箇所に設けることができるが、プランジャ３を確実に停止させて正確な小分けを実現する場合には、本形態のように複数設けることが好ましい。特に、本形態のように、偶数個で配置すれば、軸線Ｏ周りのバランスが安定するため、良好な操作が実現できる。上述の実施形態では、シリンジ型噴出器を噴霧器として説明したが、本発明に従えば、泡として噴出させ、または、通常の液体として噴出させるなど、内容物を様々な形態で噴出させることができる。
【産業上の利用可能性】
【００３６】
本発明は、フランジ部を有するシリンジと、当該シリンジ内に押し込み可能なプランジャとを備えるシリンジ型噴出器であれば、様々な形態のものに採用することができる。内容物も、点鼻薬に限定されることなく、様々なものを採用することができる。
【符号の説明】
【００３７】
１    点鼻薬噴霧器（シリンジ型噴出器）
２    シリンジ
２ａ  胴部
２ｂ  肩部
２ｃ  先端部
２ｄ  フランジ部
３    プランジャ
３ａ  第１シャフト部材
３ａ1 弾性片
３ａ2 傾斜突起
３ａ3 係止突起
３ａ4 基部
３ａ5 リング部
３ｂ  第２シャフト部材
３ｂ1 押圧部
３ｂ2 大径部
３ｂ3 ピン
３ｂ4 ヘッド
３ｅ0 弾性片の固定端
３ｅ1 係止突起側自由端
３ｅ2 段差底面側自由端
３ｅ3 段差側面側自由端
３ｆ1 押圧端面
３ｆ2 テーパ面
３ｂ3 ピン
３ｂ4 ヘッド
４    ピストン
５    ノズル
４ａ  補助フランジ部
６    噴霧チップ
Ａ１  先端貫通孔
Ａ２  後端開口部
Ａ３  空間貫通孔
Ａ４  ノズル噴出孔
Ｃ    点鼻薬（内容物）
Ｄ    段差(自由端)
Ｇ    隙間
Ｒ    充填空間
Ｓ    遊び空間
【図１】
0005882106.tif 000002
【図２】
0005882106.tif 000003
【図３】
0005882106.tif 000004
【図４】
0005882106.tif 000005
【図５】
0005882106.tif 000006
【図６】
0005882106.tif 000007